(57)【要約】【課題】異なる記録媒体に対応した補正パラメータ設定を簡易に行うことが可能な画像処理方法を提供する。【解決手段】画像処理システム１０は、出力に使用する非標準記録媒体（ユーザが使用する記録媒体）の分光反射率を取得して補正パラメータを設定し、入力画像に対して補正パラメータに基づいて蛍光補正を行い、プリンタで画像形成して出力する。これにより、蛍光特性が異なる記録媒体に対応した補正パラメータ設定を、簡易に行え、かつ、記録媒体や色材の消費を最小限にすることができる。【選択図】図１
2014150522.tif 000002
【特許請求の範囲】
【請求項１】
標準記録媒体とは異なった表面の分光反射率を有する非標準記録媒体に形成される画像の見かけ上の色を標準記録媒体に形成される画像の見かけ上の色と一致させるように補正パラメータを設定する画像処理方法であって、
前記非標準記録媒体の分光反射率を取得する取得ステップと、
前記非標準記録媒体の分光反射率、及び、前記標準記録媒体の分光反射率に基づいて、前記非標準記録媒体に形成される画像の見かけ上の色を前記標準記録媒体に形成される画像の見かけ上の色と一致させるための補正パラメータを設定する補正パラメータ設定ステップと、
前記標準記録媒体のカラープロファイルを記憶手段に記憶するカラープロファイル記憶ステップと、
前記補正パラメータに基づいて、前記標準記録媒体のカラープロファイルを前記非標準記録媒体に見合った値に修正し、非標準記録媒体に対応したカラープロファイルを生成するカラープロファイル生成ステップと、を備えたことを特徴とする画像処理方法。
【請求項２】
前記補正パラメータ設定ステップは、前記非標準記録媒体の分光反射率、及び前記標準記録媒体の分光反射率に基づいて、前記非標準記録媒体と前記標準記録媒体との間の蛍光レベル差を算出する蛍光レベル差算出ステップと、
前記蛍光レベル差算出ステップにより算出された前記蛍光レベル差に基づいて、補正パラメータを設定する設定ステップと、を備えたことを特徴とする請求項１記載の画像処理方法。
【請求項３】
前記非標準記録媒体の分光反射率を取得する際に使用した測色器情報を取得するステップを備え、
前記補正パラメータ設定ステップは、
前記非標準記録媒体の分光反射率、前記標準記録媒体の分光反射率、及び前記測色器情報に基づいて、前記非標準記録媒体と前記標準記録媒体との間の蛍光レベル差を算出する蛍光レベル差算出ステップと、
前記蛍光レベル差算出ステップにより算出された前記蛍光レベル差に基づいて、前記補正パラメータを設定する設定ステップと、を備えたことを特徴とする請求項１記載の画像処理方法。
【請求項４】
前記蛍光レベル差算出ステップは、
前記非標準記録媒体の分光反射率から前記非標準記録媒体の蛍光強さを予測する第１の蛍光強さ予測ステップと、
前記標準記録媒体の分光反射率から前記標準記録媒体の蛍光強さを予測する第２の蛍光強さ予測ステップと、
前記測色器情報に応じて、測色器パラメータを設定する測色器パラメータ設定ステップと、
前記測色器パラメータを用いて、前記非標準記録媒体の蛍光強さを補正する測色器機種差補正ステップと、
前記測色器機種差補正ステップにより補正された前記非標準記録媒体の蛍光強さと、前記標準記録媒体の蛍光強さに基づいて、前記非標準記録媒体と前記標準記録媒体との間の蛍光レベル差を予測する蛍光レベル差予測ステップと、を備えたことを特徴とする請求項３記載の画像処理方法。
【請求項５】
前記非標準記録媒体に形成する入力画像データを取得する画像取得ステップと、
前記補正パラメータに基づいて、入力画像データの画像の見かけ上の色値を補正する補正ステップと、を備えたことを特徴とする請求項１記載の画像処理方法。
【請求項６】
前記カラープロファイル記憶ステップは、前記標準記録媒体の分光反射率を前記記憶手段に記憶し、
前記補正パラメータ設定ステップは、前記標準記録媒体に形成したカラーパッチ測色値、及び、前記標準記録媒体に形成したカラーパッチ測色値を前記蛍光レベル差に応じて蛍光レベル変換した値に基づいて、補正パラメータを設定することを特徴とする請求項１記載の画像処理方法。
【請求項７】
前記カラープロファイル記憶ステップは、前記標準記録媒体に形成したカラーパッチ測色値に基づいて蛍光レベル差毎に算出した補正パラメータを前記記憶手段に記憶し、
前記補正パラメータ設定ステップは、前記蛍光レベル差毎に算出した補正パラメータから、前記蛍光レベル差算出ステップにより算出された蛍光レベル差に対応した補正パラメータを選択することを特徴とする請求項６記載の画像処理方法。
【請求項８】
前記補正パラメータを、標準記録媒体に対して絶対値で色を合わせるか相対値で色を合わせるかを選択する選択ステップと、
白色点の色値を、絶対値に対応した色値、又は、相対値に対応した色値に変換する第１の白色点変換ステップと、
所定の光源における標準記録媒体と非標準記録媒体の分光反射率を取得する非標準記録媒体分光反射率取得ステップと、
前記非標準記録媒体分光反射率取得ステップにより取得された非標準記録媒体の分光反射率に基づいて、標準記録媒体と非標準記録媒体との間の蛍光レベル差を算出する蛍光レベル差算出ステップと、
前記第１の白色点変換ステップを行った後の色値に対して、前記蛍光レベル差算出ステップにより算出された前記蛍光レベル差に基づいて、前記所定の光源下で非標準記録媒体に形成される画像の見かけ上の色を標準記録媒体に形成される画像の見かけ上の色と一致させる蛍光補正を行う蛍光補正ステップと、を備え、
前記絶対値に対応した色値は標準記録媒体の白地部の色値であり、前記相対値に対応した色値は非標準記録媒体の白地部の色値であることを特徴とする請求項１乃至７の何れか一項記載の画像処理方法。
【請求項９】
前記蛍光補正ステップを行った後の色値に対して、絶対値か相対値かに関わらず、標準記録媒体の白地部の色値を前記第１の白色点変換ステップにおける変換元の白色点の色値に変換する第２の白色点変換ステップと、
を備えることを特徴とする請求項８記載の画像処理方法。
【請求項１０】
前記補正パラメータに基づいて、標準記録媒体のプロファイルを修正して非標準記録媒体のプロファイルを生成する非標準記録媒体プロファイル生成ステップと、
前記非標準記録媒体プロファイル生成ステップにより生成された非標準記録媒体のプロファイルを使用して入力画像の色変換を行う色変換ステップと、を備え、
前記色変換ステップにおいて使用された前記非標準記録媒体のプロファイルは、絶対値に対応したマトリクス変換係数と、相対値に対応したマトリクス変換係数、及び、３Ｄ−ＬＵＴ係数を内包することを特徴とする請求項７乃至９の何れか一項記載の画像処理方法。
【請求項１１】
標準記録媒体とは異なった表面の分光反射率を有する非標準記録媒体に形成される画像の見かけ上の色を標準記録媒体に形成される画像の見かけ上の色と一致させるように補正パラメータを設定する画像処理プログラムであって、
前記非標準記録媒体の分光反射率を取得する取得ステップと、
前記非標準記録媒体の分光反射率、及び、前記標準記録媒体の分光反射率に基づいて、
前記非標準記録媒体に形成される画像の見かけ上の色を前記標準記録媒体に形成される画像の見かけ上の色と一致させるための補正パラメータを設定する補正パラメータ設定ステップと、
前記標準記録媒体のカラープロファイルを記憶手段に記憶するカラープロファイル記憶ステップと、
前記補正パラメータに基づいて、前記標準記録媒体のカラープロファイルを前記非標準記録媒体に見合った値に修正し、非標準記録媒体に対応したカラープロファイルを生成するカラープロファイル生成ステップと、を備え、各ステップをコンピュータに実行させることを特徴とする画像処理プログラム。
【請求項１２】
サーバと、前記サーバとネットワークを介して接続された画像処理装置とを備え、前記画像処理装置が前記サーバから受信した補正パラメータを利用して標準記録媒体とは異なった表面の分光反射率を有する非標準記録媒体に形成される画像の見かけ上の色を標準記録媒体に形成される画像の見かけ上の色と一致させるように補正パラメータを設定する画像処理システムであって、
前記画像処理装置は、
前記非標準記録媒体の分光反射率を取得する取得手段と、
前記取得手段により取得された前記非標準記録媒体の分光反射率をサーバに送信する送信手段と、を備え、
前記サーバは、
前記画像処理装置が取得した前記非標準記録媒体の分光反射率を受信する受信手段と、
前記非標準記録媒体の分光反射率、及び、標準記録媒体の分光反射率に基づいて、前記非標準記録媒体に形成される画像の見かけ上の色を前記標準記録媒体に形成される画像の見かけ上の色と一致させるための補正パラメータを設定する補正パラメータ設定手段と、
前記標準記録媒体のカラープロファイルを記憶するカラープロファイル記憶手段と、
前記補正パラメータ設定手段により設定された補正パラメータ、前記カラープロファイル記憶手段から読み出した前記標準記録媒体のカラープロファイルを前記画像処理装置に送信する送信手段と、を備えたことを特徴とする画像処理システム。
【請求項１３】
前記画像処理装置は、
前記非標準記録媒体の分光反射率を取得する際に使用した測色器情報を取得する測色器情報取得手段と、
前記測色器情報取得手段により取得された前記測色器情報を前記サーバに送信する送信手段と、を更に備え、
前記サーバは、
前記画像処理装置が取得した前記測色器情報を受信する受信手段を更に備え、
前記補正パラメータ設定手段は、前記非標準記録媒体の分光反射率、標準記録媒体の分光反射率、及び前記測色器情報に基づいて、前記非標準記録媒体に形成される画像の見かけ上の色を前記標準記録媒体に形成される画像の見かけ上の色と一致させるための補正パラメータを設定することを特徴とする請求項１２記載の画像処理システム。
【発明の詳細な説明】
【技術分野】
【０００１】
本発明は、蛍光を含む非標準記録媒体に色再現して画像を形成するための画像処理方法、画像処理プログラム、及び画像処理システムに関する。
【０００２】
プリンタや複写機のカラーマネージメントでは、蛍光特性が異なる非標準記録媒体で出力する場合であっても、理想的には常に同じ色で出力することが求められる。そのため、非標準記録媒体の差を補正する補正処理を行う、あるいは、非標準記録媒体に対応したカラープロファイルを作成して適用する技術が既に知られている。カラー複写機やカラープリンタで画像出力を行う際に、用途に応じて普通紙や再生紙、そして蛍光を含む用紙（蛍光用紙）等の様々な非標準記録媒体を、ユーザは用途に応じて使い分けている。
特に、蛍光用紙は利用者の好みで選択したものであり、その非標準記録媒体上で所望する色が出力されることが望まれている。
ところが、この蛍光特性とは、人間の目に素材本来の色味よりも、より白く見せるための特殊塗料として含まれている蛍光増白剤によって発現する。この蛍光増白剤は、可視光領域の短波長から紫外波長域の光を吸収し、より長波長側で光を放出する特性を有している。このように、蛍光増白剤を用いた非標準記録媒体では、非標準記録媒体の白色が非標準記録媒体本来の色に比べ、より鮮やかな白色として人間の目には知覚される効果がある。その反面、カラープロファイル等を用いて行う厳密なカラーマッチングでは、蛍光増白剤の量、特性によって知覚効果が異なってくる。
したがって、蛍光を含む非標準記録媒体の場合、色の見えに対する影響が大きく、色順応モデルや色の見えのモデルを用いて単純な色変換処理を行ったり、単純な白色点の補正を行ったりしても、色再現性が異なるという不具合がある。
【０００３】
そこで、非標準記録媒体の差異に着目した技術として、画像を読み取る際に、自動的に非標準記録媒体の特性を検知して、取得した情報により補正する技術が提案されている。例えば、特許文献１では、蛍光増白剤の影響及び観察環境を考慮し、簡易、かつ高精度なプロファイルを作成する目的で、メディアの白色部分及びメディアに形成されたカラープロファイル作成に必要な個数のカラーパッチ分光反射率を測定し、白色部分の測定値に基づいてメディアに蛍光増白剤が含まれていると判定された場合にカラーパッチ測定値を補正し、補正されたカラーパッチ測色値及び観察環境情報に基づいてカラープロファイルを作成する工程が開示されている。
また、特許文献２では、蛍光用紙を対象として、紙白部のみならず、蛍光増白効果があり色順応モデルによる変換や単純な白色点の補正では適切に補正できない画像領域の再現色を適切に色補正する目的で、蛍光無し光源時は標準記録媒体の紙白を蛍光用紙の紙白に変換する紙白処理を行い、蛍光有り光源時は蛍光相対係数及び環境係数を乗算する補正を行う、即ち蛍光無し光源時と色の見えが絶対値で一致するように補正するため紙によっては紙白が黄色く色付いて出力される画像処理装置が開示されている。
また、特許文献３では、分光測定機の機種間における出力誤差を高精度に補正する目的で、基準機としての分光測定機でパッチ画像を測定することによって得られる基準分光反射率と、補正対象機としての分光測定機でパッチ画像を測定することによって得られる補正対象分光反射率から、基準分光反射率が補正対象分光反射率に近づくように、波長毎に相関曲線を示す係数を補正係数として生成し、補正対象機で測定された分光反射率を補正する構成が開示されている。
【発明の概要】
【発明が解決しようとする課題】
【０００４】
特許文献１では、用紙白色の分光反射率、及びカラーパッチ測色値を取得して、蛍光増白剤の影響を考慮した補正を行う点が記載されている。しかし、用紙毎に多くのカラーパッチを出力して測色する必要があるため、ユーザが簡易に行えないといった問題や、用紙や色材を消費するといった問題や、測色器の機種差を補正する仕組みを有していないといった問題は解消できていない。
また、特許文献２では、用紙に含まれる蛍光増白剤の影響を考慮した補正を行う点が記載されている。しかし、用紙に含まれる蛍光増白材の影響が及ぶ画像領域の再現色を標準記録媒体と一致させる蛍光補正処理を行う場合に、標準記録媒体に対して絶対値又は相対値の何れかで合わせるユーザの要望に容易に対応できないといった問題や、測色器の機種差を補正する仕組みを有していないといった問題は解消できていない。
また、特許文献３では、分光測色器の機種差による誤差を補正する点が記載されている。しかし、全色、全波長を対象とし、用紙に依存したパラメータで補正する手段であるため、用紙毎に測色器補正のためのパラメータを設定する必要があり、分光測色器の機種差を簡易に補正することができないといった問題は解消できていない。
このように、従来、蛍光特性が異なる非標準記録媒体に対応した補正パラメータの設定では、非標準記録媒体毎に多数のカラーパッチを出力して測色する必要があるため、ユーザが簡易に行えないといった問題や、非標準記録媒体や色材を消費するといった問題や、標準記録媒体に対して絶対値又は相対値の何れかで合わせるユーザの要望に容易に対応できないといった問題や、標準記録媒体の分光反射率と非標準記録媒体の分光反射率が異なる機種の分光測色器で測定された場合に、分光測色器の機種差による誤差を簡易的に補正する手段がないといった問題があった。
【０００５】
本発明は、上記に鑑みてなされたもので、その目的としては、異なる非標準記録媒体に対応した補正パラメータ設定を簡易に行うことが可能となる画像処理方法を提供することにある。
【課題を解決するための手段】
【０００６】
上記課題を解決するため、請求項１記載の発明は、標準記録媒体とは異なった表面の分光反射率を有する非標準記録媒体に形成される画像の見かけ上の色を標準記録媒体に形成される画像の見かけ上の色と一致させるように補正パラメータを設定する画像処理方法であって、前記非標準記録媒体の分光反射率を取得する取得ステップと、前記非標準記録媒体の分光反射率、及び、前記標準記録媒体の分光反射率に基づいて、前記非標準記録媒体に形成される画像の見かけ上の色を前記標準記録媒体に形成される画像の見かけ上の色と一致させるための補正パラメータを設定する補正パラメータ設定ステップと、前記標準記録媒体のカラープロファイルを記憶手段に記憶するカラープロファイル記憶ステップと、前記補正パラメータに基づいて、前記標準記録媒体のカラープロファイルを前記非標準記録媒体に見合った値に修正し、非標準記録媒体に対応したカラープロファイルを生成するカラープロファイル生成ステップと、を備えたことを特徴とする。
【発明の効果】
【０００７】
本発明によれば、非標準記録媒体の分光反射率を取得しておき、非標準記録媒体の分光反射率、及び、標準記録媒体の分光反射率に基づいて、非標準記録媒体に形成される画像の見かけ上の色を標準記録媒体に形成される画像の見かけ上の色と一致させるための補正パラメータを設定し、標準記録媒体のカラープロファイルを記憶手段に記憶し、補正パラメータに基づいて、標準記録媒体のカラープロファイルを非標準記録媒体に見合った値に修正し、非標準記録媒体に対応したカラープロファイルを生成することで、異なる非標準記録媒体に対応した補正パラメータ設定を簡易に行うことが可能となる。
【図面の簡単な説明】
【０００８】
【図１】本発明の第１実施形態に係る画像処理方法について説明するための図である。
【図２】本発明の第１実施形態に係る画像処理方法を実行する蛍光補正部の構成を示すブロック図である。
【図３】本発明の第１実施形態に係る画像処理方法を実行する補正パラメータ設定部の構成を示すブロック図である。
【図４】本発明の第１実施形態に係る画像処理方法を実行する蛍光レベル差算出処理モジュールのブロック図である。
【図５】（ａ）〜（ｃ）は、蛍光レベル差算出で算出する蛍光レベル差について説明するための図である。
【図６】蛍光レベル差算出で使用するＵＶカットフィルタなしとありの差分の基本波形について説明するための図である。
【図７】測色器の機種差を補正する測色器パラメータ（ｍｃ０，ｍｃ１）について、説明するための図である。
【図８】本発明の第１実施形態に係る画像処理方法を実行する蛍光レベル変換の構成を示すブロック図である。
【図９】（ａ）（ｂ）は、非標準記録媒体間分光反射率差分推定について説明するための図である。
【図１０】記録媒体間分光反射率差分推定で使用する色材マスキングパラメータについて説明するための図である。
【図１１】（ａ）〜（ｇ）は、標準記録媒体に形成したパッチ分光反射率、及び、合成について説明するための図である。
【図１２】本発明の第１実施形態に係る画像処理方法における補正パラメータ設定部の変形例について説明するための図である。
【図１３】本発明の第１実施形態に係る画像処理方法における変形例について説明するための図である。
【図１４】本発明の第２実施形態に係る画像処理方法について説明するための図である。
【図１５】本発明の第２実施形態に係る画像処理方法を実行する非標準記録媒体差補正＆色変換部の構成を示すブロック図である。
【図１６】本発明の第２実施形態に係る画像処理方法を実行する補正パラメータ設定部の構成を示すブロック図である。
【図１７】パラメータ切り替えについて説明するためのフローチャートである。
【図１８】本発明の第２実施形態に係る画像処理方法における変形例について説明するための図である。
【図１９】本発明の第２実施形態に係る画像処理方法を実行する色変換部の構成を示すブロック図である。
【図２０】パラメータ切り替えについて説明するためフローチャートである。
【図２１】本発明の第３実施形態に係る画像処理システムについて説明するための図である。
【発明を実施するための形態】
【０００９】
本発明の実施形態について説明する。
本発明は、蛍光特性が異なる非標準記録媒体に対応した補正パラメータ設定又はカラープロファイル作成に際して、以下の特徴を有する。
本実施形態によれば、標準記録媒体に形成した多数パッチの測色値を用いることで、非標準記録媒体に関する測色を大幅に削減し（非標準記録媒体の白色１点のみの測定にする）、しかも非標準記録媒体毎にカラーパッチ出力の必要がないことが特徴になっている。
さらに、蛍光補正前に行う白色点変換を切り替えることで、標準記録媒体に対して絶対値で合わせる場合と相対値で合わせる場合の両方に対応することが特徴になっている。
さらに、記録媒体の分光反射率の測色を標準記録媒体とは異なる測色器を用いて行うケースであっても、記録媒体の測色器情報をユーザに入力してもらうだけで、簡易に対応可能なことが特徴となっている。
以下、図面を参照して、本発明の実施形態について説明する。
【００１０】
＜第１実施形態＞
図１は、本発明の第１実施形態に係る画像処理方法について説明するための図である。
図１は、本発明の第１実施形態に係る画像処理方法を実行する画像形成システムの構成を示す図である。画像処理システム１０は、例えば、制御ＰＣ及び制御ＰＣに搭載された拡張ハードウエアと制御ソフトウエアにより実現されている。
制御ＰＣは、内部にＲＯＭ（Read Only Memory）、ＲＡＭ（Random Access Memory）、ＣＰＵ（Central Processing Unit）、ＨＤＤ（Hard Disk Drive）を備えている。制御ＰＣは、ＨＤＤからオペレーティングシステムＯＳを読み出してＲＡＭ上に展開してＯＳを起動し、ＯＳ管理下において、ＨＤＤからプログラム（処理モジュール）を読み出し、各種処理を実行する。
画像処理システム１０は、画像処理プロセスを実現するための機能構成として、図１に示すように、入力画像取得部１と、蛍光補正部２Ａと、色変換部３Ａと、プリンタ出力部４とを備えている。さらに、画像処理システム１０は、記録媒体分光反射率取得部５Ａと、記録媒体測色器情報取得部１１と、補正パラメータ設定部６と、記録部７とを備えている。
画像処理システム１０は、出力に使用する非標準記録媒体（ユーザが使用する非標準記録媒体）の分光反射率を取得して補正パラメータを設定し、入力画像に対して補正パラメータに基づいて蛍光補正を行い、プリンタで画像形成して出力する。
なお、「標準記録媒体」以外の用紙等の媒体であり、ユーザが使用する用紙等の媒体は「記録媒体」と呼ぶ。「記録媒体」に対応する色変換パラメータが記録部７に保持されていない。
【００１１】
非標準記録媒体分光反射率取得部５Ａは、ＵＶカットフィルタを装着しない状態の測色器を使用して非標準記録媒体の分光反射率を取得する。あるいは、分光反射率を直接測定して取得するのではなく、ＲＧＢ（レッド・グリーン・ブルー）の３バンドで非標準記録媒体を測定して分光特性の特徴量を検出する。このように非標準記録媒体分光反射率取得部５Ａは、非標準記録媒体の分光反射率を取得するステップを実行する。
記録媒体測色器情報取得部１１は、記録媒体分光反射率取得部５Ａにて使用した測色器の測色器情報（機種情報）をユーザに入力してもらうことで取得する。
補正パラメータ設定部６は、非標準記録媒体の分光反射率、非標準記録媒体の測色器情報、及び標準記録媒体に形成した多数のカラーパッチ分光反射率（予め測色して記憶部７に記憶したデータ）に基づいて、非標準記録媒体に形成される画像の見かけ上の色を標準記録媒体に形成される画像の見かけ上の色と一致させるための補正パラメータを設定する。このように補正パラメータ設定部６は、非標準記録媒体に形成される画像の見かけ上の色を標準記録媒体に形成される画像の見かけ上の色と一致させるためのステップを実行する。
入力画像取得部１は、ＲＧＢの色で形成されている入力画像データを取得する。ここでは、入力画像取得部１は、非標準記録媒体に形成する入力画像データを取得するステップを実行する。
【００１２】
蛍光補正部２Ａは、補正パラメータ設定部６にて設定された補正パラメータに基づいて非標準記録媒体に形成される画像の見かけ上の色が標準記録媒体に形成される画像の見かけ上の色と同じになるように、色値を補正する。蛍光補正後の色値は、Ｌａｂ均等色空間の色値として出力される。
色変換部３Ａは、記憶部７に記憶されている標準記録媒体プロファイルに基づいてＬａｂ均等色空間の色値を、出力に使用する色材色に対応した色値であるＣＭＹＫ（シアン・マゼンタ・イエロー・ブラック）に変換する。
プリンタ出力部４は、色値ＣＭＹＫに基づいて、非標準記録媒体上に色材であるトナーを載せて画像形成する。
記録部７は、前記標準記録媒体に対応したカラープロファイルを記憶する。このように、記録部７は、標準記録媒体に対応したカラープロファイルを記憶するステップを実行する。
【００１３】
図２は、本発明の画像処理方法を実行する蛍光補正部２Ａの構成を示すブロック図である。
制御ＰＣは、起動時にＨＤＤからオペレーティングシステムＯＳを読み出してＲＡＭ上に展開してＯＳを起動し、ＯＳ管理下において、ＨＤＤからプログラムである処理モジュールを読み出し、各種処理を実行する。以下、蛍光補正部２ＡにおいてＣＰＵにより実行される処理モジュールについて説明する。
マトリクス変換処理モジュール２２は、入力画像の色として捉えられている三刺激値ＸＹＺ値に対してマトリクス変換を行う。これにより、非標準記録媒体に含まれる蛍光増白剤の量が標準記録媒体と異なる場合であっても、非標準記録媒体間の色再現が一致するように色値を補正する。
ＸＹＺ値での変換実現のため、マトリクス変換前後で色空間の変換として、ＲＧＢ→Ｌａｂ変換処理モジュール２０でＲＧＢの値をＬａｂ値に変換する。次いで、Ｌａｂ→ＸＹＺ変換処理モジュール２１でＬａｂ値をＸＹＺ値に変換し、次いで、マトリクス変換処理モジュール２２でマトリックス変換する。次いで、Ｘ´Ｙ´Ｚ´→Ｌ´ａ´ｂ´変換処理モジュール２３で、マトリックス変換後のＸ´Ｙ´Ｚ´値をＬ´ａ´ｂ´値に変換する。
【００１４】
ＲＧＢ→Ｌａｂ変換処理モジュール２０は、ＲＧＢ値から成る入力画像データを均等色空間Ｌａｂの色値に変換する。Ｌａｂ→ＸＹＺ変換処理モジュール２１は、均等色空間Ｌａｂの色値をＸＹＺ値に変換する。
マトリクス変換処理モジュール２２は、以下の式１に従ってＸＹＺ値からＸ´Ｙ´Ｚ´値への変換を行う。ここで適用するマトリクス係数ｍ１１〜ｍ３４が、補正パラメータ設定部６にて設定される補正パラメータである。
Ｘ´Ｙ´Ｚ´→Ｌ´ａ´ｂ´変換処理モジュール２３は、Ｘ´Ｙ´Ｚ´値を均等色空間の色値Ｌ´ａ´ｂ´に変換する。
2014150522.tif 000003
【００１５】
図３は、本発明の実施形態に係る画像処理方法を実行する補正パラメータ設定部６の構成を示すブロック図である。
非標準記録媒体の分光反射率及び標準記録媒体に形成した多数のカラーパッチ分光反射率から、マトリクス係数ｍ１１〜ｍ３４を、補正パラメータとして算出する。補正パラメータ設定部６では、補正パラメータに基づいて標準記録媒体に対応したカラープロファイルを修正し、非標準記録媒体に対応したカラープロファイルを生成するステップを実行する。さらに、非標準記録媒体の分光反射率に基づいて、非標準記録媒体と標準記録媒体の蛍光レベル差を算出する蛍光レベル差算出ステップと、蛍光レベル差、及び標準記録媒体の分光反射率に基づいて、補正パラメータを設定するステップを実行する。
【００１６】
蛍光レベル差算出処理モジュール６００は、非標準記録媒体の分光反射率、非標準記録媒体の測色器情報、及び標準記録媒体に形成したパッチ分光反射率に含まれる標準記録媒体分光反射率（非標準記録媒体の白地部のパッチの分光反射率）から、記憶部７に記憶された蛍光レベル予測パラメータに基づいて蛍光レベル差を算出する。
蛍光レベル変換処理モジュール６０は、蛍光レベル差に応じて標準記録媒体に形成したパッチ分光反射率を変換し、同じカラーパッチ群を非標準記録媒体に形成した場合の予測分光反射率を求める。
分光反射率→ＸＹＺ変換処理モジュール６１は、標準記録媒体に形成したパッチ分光反射率や、非標準記録媒体に形成した場合の予測分光反射率、及び、非標準記録媒体の分光反射率を、三刺激値ＸＹＺに変換する。
重回帰分析処理モジュール６２は、蛍光レベル変換の逆変換となる変換をＸＹＺ信号間で行う、即ち非標準記録媒体に形成したパッチのＸＹＺから標準記録媒体に形成したパッチのＸＹＺを予測する変換マトリクス係数ａ１１〜ａ３４を算出する。標準記録媒体に形
成した各パッチのＸＹＺ値を、（Ｘｓ１、Ｙｓ１、Ｚｓ１）、（Ｘｓ２、Ｙｓ２、Ｚｓ２）、（Ｘｓ３、Ｙｓ３、Ｚｓ３）、…とする。
【００１７】
非標準記録媒体における各パッチのＸＹＺ予測値（蛍光レベル変換処理モジュール６０の出力である予測分光反射率をＸＹＺ値に変換した値）を、（Ｘｕ１、Ｙｕ１、Ｚｕ１）、（Ｘｕ２、Ｙｕ２、Ｚｕ２）、（Ｘｕ３、Ｙｕ３、Ｚｕ３）、…とする。標準記録媒体と非標準記録媒体のパッチのＸＹＺの組を式２に代入して、重回帰分析（平均二乗誤差最小）によりマトリクス係数ａ１１〜ａ３４を求める。
2014150522.tif 000004
白色補正処理モジュール６３は、非標準記録媒体の分光反射率をＸＹＺに変換した値（Ｘｗ、Ｙｗ、Ｚｗ）と、蛍光レベル変換処理モジュール６０の出力に含まれる非標準記録媒体の白色に関する予測分光反射率をＸＹＺに変換した値（Ｘｕｗ、Ｙｕｗ、Ｚｕｗ）のズレを補正するための変換マトリクスを、重回帰分析処理モジュール６２により求めた変換マトリクスに乗算して、補正パラメータｍ１１〜ｍ３４を算出する。算出式は式３になる。
2014150522.tif 000005
【００１８】
図４は、本発明の第１実施形態に係る画像処理方法を実行する蛍光レベル差算出処理モジュール６００のブロック図である。
蛍光強さ予測処理モジュール６０４では、後述の式４−１に従って、標準記録媒体の分光反射率から、蛍光強さ予測値ｆｕを算出する。
蛍光強さ予測処理モジュール６０５では、後述の式４−２に従って、非標準記録媒体の分光反射率から、蛍光強さ予測値ｆｓを算出する。
測色器パラメータ選択処理モジュール６０６では、非標準記録媒体の測色で使用した測色器の機種情報に応じて、対応する測色器パラメータを選択する。
測色器機種差補正処理モジュール６０７では、後述の式４−３に従って、標準記録媒体の分光反射率取得に使用した測色器と、非標準記録媒体の分光反射率取得に使用した測色器の、機種差を補正する。非標準記録媒体の分光反射率から算出した蛍光強さ予測値ｆｕを、標準記録媒体の分光反射率取得に使用した測色器を使用して取得した分光反射率から算出した蛍光強さ予測値ｆｕ’に変換する。
蛍光レベル差予測処理モジュール６０８では、後述の式５−２に従って、標準記録媒体と非標準記録媒体の蛍光レベル差を予測する。
【００１９】
図５は、蛍光レベル差算出で算出する蛍光レベル差について説明するための図である。
図５（ａ）は、測色器にＵＶカットフィルタを装着しない状態で測色した、ＵＶカットフィルタなしでの非標準記録媒体の分光反射率を示している。
図５（ｂ）は、測色器にＵＶカットフィルタを装着した状態で測色した、ＵＶカットフィルタありでの非標準記録媒体の分光反射率を示している。
図５（ａ）、（ｂ）から分かるように、蛍光増白剤が多い（蛍光レベルが高い）非標準記録媒体は、（ａ）と（ｂ）の分光反射率波形が大きく異なる。蛍光増白剤が少ない（蛍光レベルが低い）非標準記録媒体は、（ａ）と（ｂ）の分光反射率波形が類似している。
図５（ｃ）に示すように、（ａ）ＵＶカットフィルタなしでの非標準記録媒体の分光反射率と（ｂ）測色器にＵＶカットフィルタを装着した状態での非標準記録媒体の分光反射率との差分である（ｃ）の波形のピークの高さを、各非標準記録媒体の蛍光レベルと定義する。ピークは４４０ｎｍ付近の波長で現れる。蛍光レベル差は、ピーク即ち４４０ｎｍにおける分光反射率の標準記録媒体との差分になる。
【００２０】
図６は、蛍光レベル差算出で使用するＵＶカットフィルタなしとありの差分の基本波形について説明するための図である。
蛍光レベル差算出処理モジュール６００では、非標準記録媒体と標準記録媒体の蛍光レベルを算出する。標準記録媒体の蛍光レベルは、予め算出して記憶部７に記憶しておいてもよい。
図５（ｃ）は、いずれも図６の基本波形を係数倍した形状で近似可能である。その係数こそが蛍光レベルである。蛍光レベルを算出する対象非標準記録媒体の（ａ）ＵＶカットなしでの分光反射率をＲｗ（λ）とし、標準記録媒体の（ａ）ＵＶカットなしでの分光反射率をＲｓ（λ）とし、算出する蛍光レベルをＲＦ（ｆ）とする。Ｒｓ（λ）、Ｒｗ（λ）のピークである４４０ｎｍと、蛍光増白剤の影響を受ける短波長側と蛍光増白剤の影響を受けない長波長側の境界である５２０ｎｍにおける分光反射率差分（蛍光強さ予測値）を、式４−１、式４−２のとおりｆｓ，ｆｕとする。Ｒｓ（λ）とＲｗ（λ）の取得に使用した測色器の機種差を補正する測色器パラメータ（ｍｃ０，ｍｃ１）を用いて、式４−３のとおり非標準記録媒体の蛍光強さ予測値ｆｕをｆｕ’に線形変換する。測色器パラメータ（ｍｃ０，ｍｃ１）は、Ｒｓ（λ）とＲｗ（λ）の取得に使用した測色器の機種が同じ場合は、（１，０）に設定される。蛍光レベルＲＦ（ｆ）は式５−１のとおり（ａ）ＵＶカットなしでの蛍光強さ予測値ｆの線形変換で近似できる。
2014150522.tif 000006
2014150522.tif 000007
2014150522.tif 000008
2014150522.tif 000009
2014150522.tif 000010
【００２１】
式５の線形変換パラメータα、βは、予め設定しておく。蛍光レベルが比較的高い非標準記録媒体をいくつか測色して、（ａ）ＵＶカットなしでの非標準記録媒体の分光反射率と（ｂ）ＵＶカットありでの非標準記録媒体の分光反射率を取得し、（ｃ）ＵＶカットフィルタありとなしの差分を求める。
二次元平面の横軸に各非標準記録媒体の４４０ｎｍと５２０ｎｍの差分（＝蛍光強さ予測値ｆ）、縦軸に各非標準記録媒体の４４０ｎｍにおける差分値（＝蛍光レベルＲＦ（ｆ））をプロットし、近似直線を求める。近似直線の切片がα、傾きがβになる。
次に、蛍光レベル差を算出する。非標準記録媒体の蛍光レベルをＲＦ（ｆｕ）、標準記録媒体の蛍光レベルをＲＦ（ｆｓ）とすると、ＲＦ（ｆｕ’）−ＲＦ（ｆｓ）が蛍光レベル差になる。実際の計算では、式５−２のように、ＲＦ（ｆｓ）、ＲＦ（ｆｕ）を介さずに、線形変換パラメータβおよびｆｕ’およびｆｓから直接算出する。即ち、線形変換パラメータα、βのうち、βのみを記憶しておけばよい。線形変換パラメータβ、及び、図６の基本波形は、蛍光レベル予測パラメータとしてまとめて予め記憶部７に記憶しておく。
【００２２】
図７は、測色器の機種差を補正する測色器パラメータ（ｍｃ０，ｍｃ１）について、説明するための図である。
測色器パラメータ（ｍｃ０，ｍｃ１）は、様々な蛍光レベルのものを含むいくつかの非標準記録媒体を、標準記録媒体を測色するときに使用する測色器１と、別の測色器２で測色して、予め設定しておく。測色器２は、非標準記録媒体の測色で使用する可能性のある全ての機種が対象となる。複数の測色器２に対して、それぞれパラメータ（ｍｃ０，ｍｃ１）を設定しておく。
二次元平面の横軸に測色器２を用いて取得した各非標準記録媒体の分光反射率から求めた４４０ｎｍと５２０ｎｍの差分（＝蛍光強さ予測値ｆ）、縦軸に測色器２を用いて取得した各非標準記録媒体の分光反射率から求めた４４０ｎｍと５２０ｎｍの差分（＝蛍光強さ予測値ｆ）をプロットして、近似直線を求める。近似直線の切片がｍｃ１、傾きがｍｃ０になる。
【００２３】
図８は、本発明の第１実施形態に係る画像処理方法を実行する蛍光レベル変換の構成を示すブロック図である。
非標準記録媒体と標準記録媒体の蛍光レベル差に応じて記録媒体間分光反射率の差分値を推定し、標準記録媒体に形成したパッチ分光反射率と合成して非標準記録媒体におけるパッチの予測分光反射率を求める。
記録媒体間分光反射率差分推定処理モジュール６０１は、非標準記録媒体と標準記録媒体の分光反射率差分のうち蛍光レベル差による差分値を推定する。記憶部７に記憶された蛍光レベル予測パラメータ（図６の基本波形）および色材マスキングパラメータに基づいて標準記録媒体に形成したパッチ分光反射率の夫々に対応した差分値を推定する。
合成処理モジュール６０２は、標準記録媒体に形成したパッチ分光反射率に、推定した差分値を加算する。
【００２４】
図９は、記録媒体間分光反射率差分推定処理について説明するための図である。
記録媒体間分光反射率差分推定処理モジュール６０１では、算出した蛍光レベル差を図６に示す基本波形に乗算した値が、標準記録媒体と非標準記録媒体の記録媒体間における非標準記録媒体の分光反射率差分推定値になる。
非標準記録媒体の分光反射率差分推定値、及び、記憶部７に予め記憶された色材マスキングパラメータを基に、非標準記録媒体間におけるカラーパッチ分光反射率差分を推定する。
色材マスキングパラメータＰｗ、Ｐｃ、Ｐｍ、Ｐｙ…は、４Ｄ−ＬＵＴ（四次元ＬＵＴ（Look Up Table））の頂点１６点で設定されている。各頂点に対応したカラーパッチ分光反射率差分推定値は、非標準記録媒体の分光反射率差分推定値に色材マスキングパラメータを乗算した値になる。例えば（Ｃ、Ｍ、Ｙ、Ｋ）＝（１００、０、０、０）のカラーパッチ分光反射率差分推定値は、非標準記録媒体の分光反射率差分推定値に色材マスキングパラメータＰｃを乗算した値になる。
４Ｄ−ＬＵＴの中間点（頂点以外）に対応したカラーパッチ分光反射率差分推定値は、頂点の分光反射率差分推定値をカラーパッチ網点面積率に応じた比率で線形補間して算出する。
【００２５】
図１０は、記録媒体間分光反射率差分推定で使用する色材マスキングパラメータについて説明するための図である。
非標準記録媒体に含まれる蛍光増白剤は、紫外光を吸収して青色の光を放射する。非標準記録媒体の上に紫外光の透過率が低い色材が載ると、測色器におけるＵＶカットフィルタと似た効果を発揮し、非標準記録媒体に照射される紫外光が減るため放射される青色の光も減る。そのため、蛍光レベルが異なる非標準記録媒体間の分光反射率差分が小さくなる。
色材マスキングパラメータは、各色材の紫外光の透過率を反映したパラメータである。非標準記録媒体白色におけるパラメータＰＷ＝１に対して、Ｙ（イエロー）単色の色材マスキングパラメータはＰＹ＝０．０２であり、紫外光の透過率が低い色材であることを表した値になっている。
【００２６】
図１１は、標準記録媒体に形成したパッチ分光反射率、及び、合成について説明するための図である。
標準記録媒体に形成したパッチ分光反射率が、図１１の格子点に対応した２４０１個のカラーパッチに関して予め測色され、記憶部７に記憶されているものとする。
記録媒体間分光反射率差分推定処理モジュール６０１で各格子点に対応したカラーパッチ分光反射率差分推定値を算出し、合成処理モジュール６０２で標準記録媒体に形成したパッチ分光反射率との加算値を求める。その加算値が、非標準記録媒体におけるパッチの予測分光反射率になる。
【００２７】
図１２は、本発明の第１実施形態に係る画像処理方法における補正パラメータ設定部の変形例について説明するための図である。
先の図３では、補正パラメータ設定部６の第１実施形態を示している。その実施形態では、非標準記録媒体毎に変動するのは非標準記録媒体の分光反射率のみで処理していた。
従って、記憶部７に標準記録媒体に形成したパッチ分光反射率を記憶する代わりに、ここでは、予め標準記録媒体に形成したパッチ分光反射率を使って蛍光レベル差毎に補正パラメータｍ１１〜ｍ３４を算出した結果を記憶する構成にしてもよい。
補正パラメータ選択処理モジュール６０３は、蛍光レベル差算出処理モジュール６００にて算出した蛍光レベル差に対応した補正パラメータｍ１１〜ｍ３４を記憶部７に記憶された蛍光レベル差毎の補正パラメータテーブルから選択して出力する。
【００２８】
図１３は、本発明の第１実施形態に係る画像処理方法における変形例について説明するための図である。
ここでは、先の第１実施形態（図１）における蛍光補正部２Ａの代わりに、プロファイル修正部８を設ける。本実施形態では、補正パラメータ設定部６で設定された補正パラメータｍ１１〜ｍ３４を、プロファイル修正部８に適用する。
プロファイル修正部８は、標準記録媒体プロファイルを修正して記録媒体プロファイルを生成する。色変換部３Ａでは、生成した記録媒体プロファイルを使用して入力画像の色変換を行う。
プロファイル修正部８では、第１実施形態における蛍光補正部（図２）におけるＲＧＢ→Ｌａｂ変換処理モジュール２０後のＬａｂ値が入力、標準記録媒体プロファイルに基づいて色変換部３Ａの後のＣＭＹＫが出力となるように、記録媒体プロファイルを生成する。
【００２９】
このように、非標準記録媒体の分光反射率を取得しておき、非標準記録媒体の分光反射率、非標準記録媒体の測色器情報、及び標準記録媒体の分光反射率に基づいて、非標準記録媒体に形成される画像の見かけ上の色を標準記録媒体に形成される画像の見かけ上の色と一致させるための補正パラメータを設定し、標準記録媒体のカラープロファイルを記憶手段に記憶し、補正パラメータに基づいて、標準記録媒体のカラープロファイルを非標準記録媒体に見合った値に修正し、非標準記録媒体に対応したカラープロファイルを生成することで、異なる非標準記録媒体に対応した補正パラメータ設定を簡易に行うことが可能となる。
また、記録媒体に関して記録媒体の分光反射率を測色して取得するだけで、予め取得した標準記録媒体に形成した多数パッチの測色値を用いて記録媒体に対応した補正パラメータ設定又はカラープロファイル作成を行うので、蛍光特性が異なる記録媒体に対応した補正パラメータ設定又はカラープロファイル作成を、ユーザが簡易に行え、かつ、記録媒体や色材の消費を最小限にすることができる。
また、非標準記録媒体の分光反射率を取得する際に使用した測色器情報を取得しておき、補正パラメータを設定する際に、非標準記録媒体の分光反射率、標準記録媒体の分光反射率、及び測色器情報に基づいて、非標準記録媒体と標準記録媒体との間の蛍光レベル差を算出し、算出された前記蛍光レベル差に基づいて、補正パラメータを設定する。これにより、用紙間の蛍光特性差補正において、測色器の機種差補正を簡易に行うことができる。
さらに、非標準記録媒体の分光反射率から非標準記録媒体の蛍光強さを予測し、標準記録媒体の分光反射率から標準記録媒体の蛍光強さを予測しておき、測色器情報に応じて、測色器パラメータを設定し、測色器パラメータを用いて、非標準記録媒体の蛍光強さを補正し、補正された非標準記録媒体の蛍光強さと、標準記録媒体の蛍光強さに基づいて、非標準記録媒体と標準記録媒体との間の蛍光レベル差を予測する。これにより、用紙間の蛍光特性差補正において、測色器の機種差補正を簡易に行うことができる。
この結果、記録媒体の分光反射率の測色を標準記録媒体とは異なる測色器を用いて行うケースであっても、記録媒体の測色器情報をユーザに入力してもらうだけで、簡易に対応することができる。
【００３０】
＜第２実施形態＞
図１４は、本発明の第２実施形態に係る画像処理方法について説明するための図である。
この第２実施形態における画像処理システム１０では、画像処理プロセスを実現するための機能構成として、図１４に示すように、入力画像取得部１と、ＲＧＢ→Ｌａｂ変換部２０と、記録媒体差補正＆色変換部３Ｂと、プリンタ出力部４を備えている。さらに、画像処理システム１０は、記録媒体側色値取得部５０と、補正パラメータ設定部６と、記録部７と、絶対値／相対値選択部９とを備えている。
画像処理システム１０では、出力に使用する非標準記録媒体に出力したパッチ及び非標準記録媒体の白地部の測色値を取得して補正パラメータを設定する。次いで、画像処理システム１０では、入力画像に対して補正パラメータに基づいて非標準記録媒体差補正及び標準記録媒体プロファイルに基づいて色変換を行い、プリンタで画像形成して出力する。
【００３１】
非標準記録媒体測色値取得部５Ｂは、ＵＶカットフィルタを装着しない状態の測色器を使用して、非標準記録媒体に出力したパッチの測色値及び非標準記録媒体の白地部の測色値（分光反射率）を取得する。測色器の光源は、Ｄ５０標準光源とする。
なお、本発明は、光源が変わっても適用可能である。入力画像と出力画像の色を相対的に比較して補正するので、その場合の比較する画像に対して光源が統一されて、同じで在れば適用することができる。
分光反射率の測定は、ＲＧＢの３原色を３バンドで形成された画像を非標準記録媒体上で測定して分光特性の特徴量を検出する技術として、例えば、測色するセンサを備えている。分光反射率の測定については、このセンサにより判定された光源情報を非標準記録媒体上に記録する技術や、透過波長域の異なる多種類のフィルタを通した撮影を行うマルチバンドカメラを用いてもよい。これによって、被写体を分光分布もしくは分光反射率の画像として記録してもよいし、市販の側色計等を用いてもよい。
記録媒体測色器情報取得部１１は、記録媒体分光反射率取得部５Ｂにて使用した測色器の測色器情報（機種情報）をユーザに入力してもらうことで取得する。
【００３２】
補正パラメータ設定部６は、非標準記録媒体のパッチ及び非標準記録媒体の白地部の測色値と、非標準記録媒体の白地部の測色に使用した測色器情報と、標準記録媒体に形成した多数のカラーパッチ測色値（予め測色して記憶部７に記憶したデータ）に基づいて、補正パラメータを設定する。設定した補正パラメータは、次回その非標準記録媒体を使って出力する際に再度測色値の取得や補正パラメータ設定を行わなくて済むように、記憶部７に記憶しておく。
入力画像取得部１は、ＲＧＢ（レッド・グリーン・ブルー）の３バンドから成る入力画像データを取得する。ここでは、入力画像は標準色空間であるｓＲＧＢで表された画像であるとして説明する。
【００３３】
ＲＧＢ→Ｌａｂ変換部２Ｂは、ｓＲＧＢで表された画像データを、均等色空間であるＬａｂ値で表わされた画像データに変換する。
非標準記録媒体差補正＆色変換部３Ｂは、補正パラメータ設定部６にて設定された補正パラメータに基づいて非標準記録媒体に形成される画像の見かけ上の色が標準記録媒体に形成される画像の見かけ上の色と同じになるように色値を補正する。
また、色値の補正処理では、絶対値／相対値選択部９でユーザが選択した結果を反映した補正を行う。ユーザが絶対値を選択した場合は、非標準記録媒体に形成される画像の見かけ上の色が標準記録媒体に形成される画像の見かけ上の色と絶対値で一致するように色値を補正する。この場合、非標準記録媒体によっては白地部に黄色等の色が付いて出力されることもある。ユーザが相対値を選択した場合は、非標準記録媒体に形成される画像の見かけ上の色が標準記録媒体に形成される画像の見かけ上の色と相対値で一致するように色値を補正する。この場合、非標準記録媒体によらず白地部は白で（色が付かずに）出力される。色値の補正処理は標準記録媒体プロファイルに基づいて行う色変換の前後で実施され、色変換後の補正処理は色材色に対応した色値であるＣＭＹＫに対して実施される。
プリンタ出力部４は、ＣＭＹＫ（シアン・マゼンタ・イエロー・ブラック）に基づいて、非標準記録媒体上に色材であるトナーを載せて画像形成する。
【００３４】
図１５は、本発明の画像処理方法を実行する記録媒体差補正＆色変換部の構成を示すブロック図である。
補正パラメータ設定部６で設定された補正パラメータ［Ａ］〜［Ｆ］に基づいて、具体的に以下の手順で色値の補正及び色変換を行う。
Ｌａｂ→ＸＹＺ変換処理モジュール３０１は、Ｌａｂを三刺激値ＸＹＺに変換する。Ｌａｂの白色点（Ｌ、ａ、ｂ）＝（１００、０、０）は、Ｄ５０標準光源の白色点である（Ｘ、Ｙ、Ｚ）＝（９６．４２、１００．０、８２．４９）に変換される。
白色点変換１処理モジュール３０２は、一般的な色順応変換方式であるＢｒａｄｆｏｒｄ変換を用いて、ＣＩＥ標準光源Ｄ５０の標準光源の白色点ＸＹＺを、標準記録媒体の紙白のＸＹＺ値、又は、非標準記録媒体の白地部のＸＹＺ値に変換する。
Ｂｒａｄｆｏｒｄ変換は３刺激値ＸＹＺに対する３×３変換行列によるマトリクス変換であり、補正パラメータ［Ａ］及び［Ｃ］が３×３変換行列係数に当たる。絶対値又は相対値の選択信号に従って、パラメータ切り替え処理モジュール３０３にて補正パラメータ［Ａ］か［Ｃ］のいずれかを選択する。
【００３５】
蛍光補正処理モジュール３０４は、上述した式１に従ってＸＹＺからＸ´Ｙ´Ｚ´への変換処理を行うことで、標準記録媒体と非標準記録媒体に含まれる蛍光増白剤の量の違いにより発生するＣＩＥ標準光源Ｄ５０の標準光源下での記録媒体間色差を補正する。マトリクス係数ｍ１１〜ｍ３４が、補正パラメータ設定部［Ｄ］に当たる。蛍光補正処理モジュール３０４によれば、非標準記録媒体の白地部ＸＹＺは概ね標準記録媒体の白地部ＸＹＺに補正される。
白色点変換２処理モジュール３０５は、Ｂｒａｄｆｏｒｄ変換処理を用いて、標準記録媒体の白地部のＸＹＺ値を、Ｄ５０標準光源の白色点ＸＹＺに変換する。補正パラメータ［Ｄ］がＢｒａｄｆｏｒｄ変換処理の３×３変換行列係数に当たり、これを適用する。白色点変換２処理モジュール３０５は、白色点変換１処理モジュール３０２にて絶対値用の補正パラメータ［Ａ］を適用する場合の逆変換処理になる。
ＸＹＺ→Ｌａｂ変換処理モジュール３０６は、三刺激値ＸＹＺで表された色値を均等色空間Ｌａｂの色値に変換する。ＣＩＥ標準光源Ｄ５０の標準光源の白色点ＸＹＺをＬａｂの白色点に変換し、Ｌａｂ空間の色値に戻す。
【００３６】
色変換処理モジュール３０７は、標準記録媒体プロファイルに基づいて、３Ｄ−ＬＵＴ（三次元ＬＵＴ（Look Up Table））によりＬａｂ値をＣＭＹＫ値に変換する。
歪み補正処理モジュール３０８は、非標準記録媒体の違い（標準記録媒体と非標準記録媒体の表面粗さの違い）によって発生する転写特性に起因したガマット歪みを補正パラメータ［Ｅ］及び歪み補正処理によって処理する。ガマット歪みとは、非標準記録媒体上の一番上に載る色は転写残りの影響でトナー量が少なくなり濃度が低下する。つまり、一番上に載る色の濃度低下が、ガマット歪を発生させたということを示している。
ＴＲＣ補正処理モジュール３０９は、ＴＲＣ（Tone Reproduction Curve）に基づく階調補正を行う。補正パラメータ［Ｆ］がＴＲＣに当たる。
【００３７】
図１６は、本発明の第２実施形態に係る画像処理方法を実行する補正パラメータ設定部の構成を示すブロック図である。
補正パラメータ設定部６は、蛍光補正処理モジュール３０４の前後で行う白色点変換で使用するパラメータ［Ａ］〜［Ｃ］をそれぞれ設定する処理モジュール１６１〜１６３を備えている。
補正パラメータ設定部６において、蛍光補正パラメータ設定処理モジュール１６４は、蛍光補正処理モジュール３０４の補正パラメータ［Ｄ］を設定する。歪み補正パラメータ設定処理モジュール１６５は、歪み補正処理モジュール３０８の補正パラメータ［Ｅ］を設定する。ＴＲＣ補正パラメータ設定処理モジュール１６６は、ＴＲＣ補正処理モジュール３０９の補正パラメータ［Ｆ］を設定する。
【００３８】
白色点変換パラメータを設定する設定処理モジュール１６１〜１６３では、Ｂｒａｄｆｏｒｄ変換処理の３×３変換行列係数を設定する。変換前後の白色点に基づいて設定する。設定方法については、変換パラメータ設定の公知技術を用いる。
白色点変換パラメータＡ設定処理モジュール１６１は、Ｄ５０標準光源の白色点の３刺激値ＸＹＺ値を、標準記録媒体の白地部の３刺激値ＸＹＺ値に変換する変換行列係数を設定する。
【００３９】
白色点変換パラメータＢ設定処理モジュール１６２は、標準記録媒体の白地部のＸＹＺ値を、Ｄ５０標準光源の白色点ＸＹＺに変換する変換行列係数を設定する。
白色点変換パラメータＣ設定処理モジュール１６３は、Ｄ５０標準光源の白色点の３刺激値ＸＹＺ値を、非標準記録媒体の白地部のＸＹＺ値に変換する変換行列係数を設定する。
蛍光補正パラメータ設定処理モジュール１６４は、標準記録媒体と非標準記録媒体の分光反射率、及び非標準記録媒体の測色器情報に基づいて補正パラメータｍ１１〜ｍ３４を設定する。補正パラメータｍ１１〜ｍ３４設定の詳細は後述する。
歪み補正パラメータ設定処理モジュール１６５は、４つの補正パラメータ（Ｔｙ、Ｔｍ、Ｔｃ、Ｔｋ）を設定する。設定した４つの補正パラメータ群を、補正パラメータ［Ｅ］とする。
【００４０】
歪み補正処理としては、非標準記録媒体の表面における粗さで発生するガマット歪を補正する。具体的には、ＹＭＣＫ各色を線形変換関数で定義されたそれぞれ異なる数式を適用することにより補正を行う。
ＴＲＣ補正パラメータ設定処理モジュール１６６は、非標準記録媒体間で色の違いが気になる代表的な色である３Ｃグレー（Ｃ＝Ｍ＝Ｙのパッチ）の色が標準記録媒体と一致するように、標準記録媒体に出力した３Ｃグレーパッチ測色値及び非標準記録媒体に出力し
た３Ｃグレー近傍色のパッチ測色値に基づいてＴＲＣを設定する。設定したＴＲＣを補正パラメータ［Ｆ］とする。
【００４１】
図１７は、パラメータ切り替えについて説明するためフローチャートである。
ステップＳ１１では、ユーザが操作部（図示しない）に設けられたボタンに対して絶対値又は相対値が選択されたことを受け付ける。ユーザが絶対値を選択した場合は、ステップＳ１２での判定結果により、ステップＳ１３に進み、パラメータ［Ａ］が選択される。
ユーザが相対値を選択した場合は、ステップＳ１２での判定結果により、ステップＳ１４に進み、パラメータ［Ｃ］が選択される。
まず、相対値が選択された場合（ステップＳ１１）について説明する。
相対値が選択された場合、白色点変換１処理モジュール３０２にて補正パラメータ［Ｃ］によるマトリクス変換を行うことで、Ｄ５０標準光源の白色点の３刺激値ＸＹＺ値が非標準記録媒体の白地部のＸＹＺ値に変換される。
蛍光補正処理モジュール３０４で、非標準記録媒体の白地部の３刺激値ＸＹＺ値が標準記録媒体の白地部ＸＹＺ値に補正されるため、白色点変換１と蛍光補正の前後で、Ｄ５０標準光源の白色点ＸＹＺ値が標準記録媒体の白地部ＸＹＺ値に補正される。
そして、白色点変換２処理モジュール３０５にて、標準記録媒体の白地部のＸＹＺ値が、Ｄ５０標準光源の白色点ＸＹＺ値に変換される。即ち、白色点変換１から白色点変換２の前後で、Ｄ５０標準光源の白色点ＸＹＺ値が、Ｄ５０標準光源の白色点ＸＹＺ値に変換されることになり、白色点に関して実質無変換になる。これによって、非標準記録媒体によらず白地部が白で出力されることが保証される。
【００４２】
次に、ステップＳ１１にて絶対値が選択された場合について説明する。
絶対値が選択された場合、白色点変換１処理モジュール３０２にて補正パラメータ［Ａ］によるマトリクス変換を行うことで、Ｄ５０標準光源の白色点の３刺激値ＸＹＺ値が標準記録媒体の白地部のＸＹＺ値に変換される。
蛍光補正処理モジュール３０４では、非標準記録媒体の白地部ＸＹＺ値が標準記録媒体の白地部ＸＹＺ値に補正される。同時に、蛍光補正直前の時点での白色点である標準記録媒体の白地部ＸＹＺ値は、非標準記録媒体が標準記録媒体よりも蛍光が多く青色のように見える紙であれば、その逆である黄色のような色に補正される。一方、非標準記録媒体が標準記録媒体よりも蛍光が少なく黄色のように見える紙であれば、その逆である青色のような色に補正される。なお、蛍光補正によって紙の色と逆方向へ補正されるのは、紙の上に画像形成して紙と合わせて目視確認したときに、標準記録媒体上での形成色と一致させるためである。
【００４３】
そして、白色点変換２処理モジュール３０５にて、（この時点では白色点ではない）標準記録媒体の白地部のＸＹＺ値が、Ｄ５０標準光源の白色点ＸＹＺに変換される。即ち、白色点変換１から白色点変換２の前後で、Ｄ５０標準光源の白色点ＸＹＺとは異なる点がＤ５０標準光源の白色点ＸＹＺに変換されることになる。
Ｄ５０標準光源の白色点ＸＹＺは、非標準記録媒体が標準記録媒体よりも蛍光が多い紙であればより黄色のような色に変換され、非標準記録媒体が標準記録媒体よりも蛍光が少ない紙であればより青色のような色に変換されることになる。これによって、紙に含まれる蛍光増白材の量次第で、白地部が色付いて出力される。
【００４４】
図１８は、本発明の第２実施形態に係る画像処理方法における変形例について説明するための図である。
この第２実施形態における変形例では、第２実施形態（図１４）における記録媒体差補正＆色変換部３を、プロファイル修正部８と色変換部３Ａで置き換える。
プロファイル修正部８は、補正パラメータ設定部６で設定された補正パラメータ［Ａ］〜［Ｆ］に基づいて、標準記録媒体プロファイルを修正して非標準記録媒体プロファイルを生成する。色変換部３Ａでは、生成した記録媒体プロファイルを使用して入力画像の色変換を行う。
プロファイル修正部８及び色変換部３Ａの実装形態は複数考えられる。そのうちの一つを示す。
【００４５】
プロファイル修正部８は、図１５に示す白色点変換１処理モジュール３０２から白色点変換２処理モジュール３０５までの入出力データに基づいて３×４マトリクス係数を設定する。これと共に、プロファイル修正部８は、図１５に示すＸＹＺ→Ｌａｂ変換処理モジュール３０６からＴＲＣ補正処理モジュール３０９までの入出力データに基づいて３Ｄ−ＬＵＴ（三次元ＬＵＴ（Look Up Table））係数を設定する。設定した値は、記録媒体プロファイルに内包される。
３×４マトリクス係数設定では、図１５に示すパラメータ切り替え処理モジュール３０３で絶対値用の補正パラメータ［Ａ］が選択された場合のマトリクス係数ｍａ１１〜ｍａ３４と、図１５に示すパラメータ切り替え処理モジュール３０３で相対値用の補正パラメータ［Ｃ］が選択された場合のマトリクス係数ｍｃ１１〜ｍｃ３４の合計２組を、式６及び式７に従って設定する。ここで、補正パラメータ［Ａ］をＡ１１〜Ａ３３、補正パラメータ［Ｂ］をＢ１１〜Ｂ３３、補正パラメータ［Ｃ］をＣ１１〜Ｃ３３とする。
2014150522.tif 000011
2014150522.tif 000012
2014150522.tif 000013
【００４６】
３Ｄ−ＬＵＴ係数設定では、ＸＹＺ→Ｌａｂ変換処理モジュール３０６への入力ＸＹＺ値とＴＲＣ補正処理モジュール３０９の出力ＣＭＹＫの組から、３Ｄ−ＬＵＴを作成する。
図１８によれば色変換処理モジュール３０７で標準記録媒体プロファイルの３Ｄ−ＬＵＴを適用するため、ここで作成する３Ｄ−ＬＵＴは標準記録媒体プロファイルの３Ｄ−ＬＵＴ係数に基づいて作成された、標準記録媒体プロファイルの修正版と言える。
生成した記録媒体プロファイルは、次回その記録媒体を使って出力する際に再度測色値の取得や補正パラメータ設定やプロファイル修正を行わなくて済むように、記憶部７に記憶しておく。
【００４７】
図１９は、本発明の画像処理方法を実行する色変換部の構成を示すブロック図である。
Ｌａｂ→ＸＹＺ変換処理モジュール３１１は、入力画像のＬａｂ値をＸＹＺ値に変換した後に、プロファイル修正部８で設定した記録媒体プロファイル内包の３×４マトリクス係数と３Ｄ−ＬＵＴ係数に基づいて、３×４マトリクス変換処理モジュール３１３により３×４マトリクス変換し、３Ｄ−ＬＵＴ変換処理モジュール３１４により３Ｄ−ＬＵＴ変換する。３×４マトリクス変換処理モジュール３１３は、絶対値又は相対値の選択信号に従って、パラメータ切り替え処理モジュール３１２にて選択されたマトリクス係数ｍａ１１〜ｍａ３４又はｍｃ１１〜ｍｃ３４のいずれかを適用する。
【００４８】
図２０は、パラメータ切り替えについて説明するためフローチャートである。
ステップＳ１１では、ユーザが操作部（図示しない）に設けられたボタンに対して絶対値又は相対値を選択されたことを受け付ける。ユーザが絶対値を選択した場合は、ステップＳ１２での判定結果（Ｙｅｓ）により、ステップＳ１５にてマトリクス係数ｍａ１１〜ｍａ３４が選択される。３×４マトリクス変換処理モジュール３１３にて式８の変換が行われる。
ユーザが相対値を選択した場合は、ステップＳ１２の判定結果（Ｎｏ）により、ステップＳ１６にてマトリクス係数ｍｃ１１〜ｍｃ３４が選択される。３×４マトリクス変換処理モジュール３１３にて式９の変換が行われる。
2014150522.tif 000014
2014150522.tif 000015
絶対値が選択された場合、相対値が選択された場合、それぞれ白色点がどのように変換されるかについては、図１７のところで説明したのと同じ結果が得られる。
このように、蛍光補正前に行う白色点変換を切り替えることで、標準記録媒体に対して絶対値で合わせる場合と相対値で合わせる場合の両方に対応するので、記録媒体に含まれる蛍光増白材の影響が及ぶ画像領域の再現色を標準記録媒体と一致させる蛍光補正を行う場合に、標準記録媒体に対して絶対値又は相対値のいずれかで合わせるユーザの要望に、容易に対応することができる。
【００４９】
＜第３実施形態＞
図２１は、本発明の第３実施形態に係る画像処理システム１０について説明するための図である。図２１を参照して、ネットワークを介してサーバと接続された画像形成装置について説明する。
ネットワーク１００を介して、サーバ１０１とプリンタ出力部４を含む画像形成装置１０２が接続されている。
第３実施形態では、第１実施形態に係る画像形成装置１０２のうち、補正パラメータ設定部６と記憶部７をサーバ１０１内に備えた、他の処理ブロックを画像形成装置１０２内に備えるように構成されていてもよい。
あるいは、第３実施形態では、第１実施形態に係る画像形成装置の変形例のうち、補正パラメータ設定部６と記憶部７とプロファイル修正部８をサーバ１０１内に置き、他の処理ブロックを画像形成装置１０２内に備えるように構成されていてもよい。
【００５０】
サーバ１０１は、画像形成装置１０２が取得した非標準記録媒体の分光反射率を受信する受信部（図示しない）を備えている。またサーバ１０は、非標準記録媒体の分光反射率、及び、標準記録媒体の分光反射率に基づいて、非標準記録媒体に形成される画像の見かけ上の色を標準記録媒体に形成される画像の見かけ上の色と一致させるための補正パラメータを設定する補正パラメータ設定部（図示しない）を備えている。また、サーバ１０１は、標準記録媒体のカラープロファイルを記憶するカラープロファイル記憶部（図示しない）を備えている。さらに、サーバ１０１は、補正パラメータ、カラープロファイル記憶部から読み出した標準記録媒体のカラープロファイルを画像形成装置１０２にネットワークを介して送信する送信部（図示しない）を備えている。
画像形成装置１０２は、例えば、シアン（Ｃ）、マゼンタ（Ｍ）、イエロー（Ｙ）、ブラック（Ｋ）の４色を基本色材とし、これらの混色でフルカラー画像を記録媒体に形成する。
【００５１】
ユーザは、画像形成装置１０２に対して送信指示を与え、画像形成装置１０２で取得した非標準記録媒体の分光反射率をサーバ１０１に送信する。
サーバ１０１は、画像処理装置１０２が取得した非標準記録媒体の分光反射率をネットワーク１００を介して受信する。サーバ１０１は、非標準記録媒体の分光反射率、及び、標準記録媒体の分光反射率に基づいて、非標準記録媒体に形成される画像の見かけ上の色を前記標準記録媒体に形成される画像の見かけ上の色と一致させるための補正パラメータを設定する。次いで、設定された補正パラメータ、標準記録媒体のカラープロファイルを画像処理装置１０２にネットワーク介して送信する。
このように、画像処理システム１０を構成することで、比較的多くの記憶容量を必要とする標準記録媒体に形成したパッチ分光反射率あるいは蛍光レベル差毎の補正パラメータテーブルを各画像形成装置１０２が記憶しておく必要がなくなる。このため、大容量の記憶部７を持たない画像形成装置１０２でも簡易に記録媒体に対応した蛍光特性の補正が可能になる。
また、画像処理システム１０には、画像形成装置１０２により記録媒体に形成された画像に対する記録媒体分光反射率取得部５Ａ又は記録媒体側色値取得部５Ｂが接続されている。この記録媒体分光反射率取得部５Ａ又は記録媒体側色値取得部５Ｂとしては、例えば、分光測色機が使用されるが、記録媒体の分光反射率データが得られるものであればよく、カラースキャナで代用することも可能である。
また、記録媒体分光反射率取得部５Ａ又は記録媒体側色値取得部５Ｂにて、複数機種の測色器使用が想定される場合は、非標準記録媒体の測色器情報を非標準記録媒体の分光反射率とセットでサーバ１０１に送信する。一方、サーバ１０１は、画像処理装置１０２から受信した非標準記録媒体の分光反射率、非標準記録媒体の測色器情報、及び標準記録媒体の分光反射率に基づいて、非標準記録媒体に形成される画像の見かけ上の色を前記標準記録媒体に形成される画像の見かけ上の色と一致させるための補正パラメータを設定すればよい。これにより、用紙間の蛍光特性差補正において、測色器の機種差補正を簡易に行うことができる。
【符号の説明】
【００５２】
１…入力画像取得部、２Ａ…蛍光補正部、２Ｂ…ＲＧＢ→Ｌａｂ変換部、１１…記録媒体測色器情報取得部、２０…ＲＧＢ→Ｌａｂ変換処理モジュール、２１…Ｌａｂ→ＸＹＺ変換処理モジュール、２２…マトリクス変換処理モジュール、２３…Ｘ´Ｙ´Ｚ´→Ｌ´ａ´ｂ´変換処理モジュール、３Ａ…色変換部、３Ｂ…記録媒体差補正＆色変換部、３０１…Ｌａｂ→ＸＹＺ変換処理モジュール、３０２…白色点変換１処理モジュール、３０３…パラメータ切り替え処理モジュール、３０４…蛍光補正処理モジュール、３０５…白色点変換２処理モジュール、３０６…ＸＹＺ→Ｌａｂ変換処理モジュール、３０７…色変換処理モジュール、３０８…歪み補正処理モジュール、３１１…Ｌａｂ→ＸＹＺ変換処理モジュール、３１２…パラメータ切り替え処理モジュール、３１３…３×４マトリクス変換処理モジュール、３１４…３Ｄ−ＬＵＴ変換処理モジュール、４…プリンタ出力部、５Ａ…記録媒体分光反射率取得部、５Ｂ…記録媒体側色値取得部、６…補正パラメータ設定部、６０…蛍光レベル変換処理モジュール、６１…分光反射率→ＸＹＺ変換処理モジュール、６２…重回帰分析処理モジュール、６３…白色補正処理モジュール、６００…蛍光レベル差算出処理モジュール、６０１…記録媒体間分光反射率差分推定処理モジュール、６０２…合成処理モジュール、６０３…補正パラメータ選択処理モジュール、６０４…蛍光強さ予測処理モジュール、６０５…蛍光強さ予測処理モジュール、６０６…測色器パラメータ選択処理モジュール、６０７…測色器機種差補正処理モジュール、６０８…蛍光レベル差予測処理モジュール、６０９…ＴＲＣ補正処理モジュール、７…記録部、８…プロファイル修正部、９…絶対値／相対値選択部、１０…画像処理システム、１００…ネットワーク、１０１…サーバ、１０２…画像形成装置
【先行技術文献】
【特許文献】
【００５３】
【特許文献１】特開２００９−２７８３６２公報
【特許文献２】特開２００８−０６０７１９公報
【特許文献３】特開２０１２−１４２９２０公報
【図１】
2014150522.tif 000016
【図２】
2014150522.tif 000017
【図３】
2014150522.tif 000018
【図４】
2014150522.tif 000019
【図５】
2014150522.tif 000020
【図６】
2014150522.tif 000021
【図７】
2014150522.tif 000022
【図８】
2014150522.tif 000023
【図９】
2014150522.tif 000024
【図１０】
2014150522.tif 000025
【図１１】
2014150522.tif 000026
【図１２】
2014150522.tif 000027
【図１３】
2014150522.tif 000028
【図１４】
2014150522.tif 000029
【図１５】
2014150522.tif 000030
【図１６】
2014150522.tif 000031
【図１７】
2014150522.tif 000032
【図１８】
2014150522.tif 000033
【図１９】
2014150522.tif 000034
【図２０】
2014150522.tif 000035
【図２１】
2014150522.tif 000036